(57)【要約】【課題】前開き部からの漏れを完全に防止する。【解決手段】前身頃と後身頃とが両側部で接合されて、ウエスト開口部と一対の脚周り開口部とが形成されたパンツ型使い捨ておむつ１である。前身頃の所定位置に、男性器を通す前開き部３０が形成されるとともに、前記前開き部３０を外面側から覆う吸収性被覆体３１が設けられ、前記吸収性被覆体３１を捲って前記前開き部３０から男性器を取り出し得るようにする。前記吸収性被覆体３１は、肌側の透液性シート４３と非肌側の不透液性シート４４との間に吸収部材４５が介在した構造を有している。【選択図】図１
2020092735.tif 000002
【特許請求の範囲】
【請求項１】
前身頃と後身頃とが両側部で接合されて、ウエスト開口部と一対の脚周り開口部とが形成されたパンツ型吸収性物品であって、
前身頃の所定位置に、男性器を通す前開き部が形成されるとともに、前記前開き部を外面側から覆う吸収性被覆体が設けられ、前記吸収性被覆体を捲って前記前開き部から男性器を取り出し得るようにしたことを特徴とする男性用パンツ型吸収性物品。
【請求項２】
前記吸収性被覆体は、肌側の透液性シートと非肌側の不透液性シートとの間に吸収部材が介在してなる請求項１記載の男性用パンツ型吸収性物品。
【請求項３】
前記吸収性被覆体は、前記外装体の外面の所定位置に直接接合されている請求項１、２いずれかに記載の男性用パンツ型吸収性物品。
【請求項４】
前記吸収性被覆体は、前記前開き部より幅方向の一方側の側部領域が前記外装体の外面に接合されるとともに、少なくとも前記前開き部の上側端縁より上側の領域が前記前開き部より幅方向の他方側に延在して前記外装体の外面に接合されている請求項３記載の男性用パンツ型吸収性物品。
【請求項５】
前記吸収性被覆体は、前記前開き部の上側端縁より上側の領域が上端縁に沿って前記外装体の外面に接合されるとともに、前記前開き部の下側端縁より下側の領域が繰り返し着脱可能な着脱可能部によって前記外装体の外面に接合されている請求項３記載の男性用パンツ型吸収性物品。
【請求項６】
前記吸収性被覆体は、前記ウエスト開口部の端縁から股下に向けて延在する前記外装体に一体的に設けられた可動シートに備えられている請求項１、２いずれかに記載の男性用パンツ型吸収性物品。
【請求項７】
前記前開き部は、幅方向のいずれか一方に偏倚した位置に、上下方向に沿って形成されている請求項１〜６いずれかに記載の男性用パンツ型吸収性物品。
【請求項８】
前記男性用パンツ型吸収性物品は、吸収体を含む吸収性本体と外装体とを具備し、
前記前開き部は、前記吸収体と重ならない位置に形成されている請求項１〜７いずれかに記載の男性用パンツ型吸収性物品。
【請求項９】
前記前開き部は、開口するスリット部によって形成されるか、破断して開口し得る易破断部によって開口可能に形成されている請求項１〜８いずれかに記載の男性用パンツ型吸収性物品。
【請求項１０】
前記前開き部の近傍に、前記前開き部が意図せずに口開きするのを防止する弾性伸縮部材が配設されている請求項１〜９いずれかに記載の男性用パンツ型吸収性物品。
【発明の詳細な説明】
【技術分野】
【０００１】
本発明は、前身頃と後身頃とが両側部で接合されて、ウエスト開口部と一対の脚周り開口部とが形成されたパンツ型吸収性物品であって、前身頃の所定位置に、男性器を通す前開き部が形成された男性用パンツ型吸収性物品に関する。
【背景技術】
【０００２】
従来より、吸収体を含む吸収性本体と外装体とを具備し、股間部を介して連続する前身頃と後身頃とを備えるとともに、これら前身頃と後身頃との両側部が接合され、ウエスト開口部と一対の脚周り開口部とが形成されたパンツ型使い捨ておむつ等のパンツ型吸収性物品が知られている。
【０００３】
男性用の軽失禁用品として、下着の股間部の内面に貼着して使用するパッドタイプのものが多く市場に提供されているが、このようなパッドタイプのものでは、歩行時や座位時などにパッドがずれたり剥がれたりする問題が生じ得るため、近年では、下着に代えて腰回りに装着するようにしたパンツ型吸収性物品が提案されている。
【０００４】
男性用のパンツ型吸収性物品においては、下記特許文献１〜３などに開示されるように、排尿時に男性器を取り出しやすくするため前開き部を備えたものが存在する。
【先行技術文献】
【特許文献】
【０００５】
【特許文献１】特開２００８−２９５８６６号公報
【特許文献２】特開２００８−５４９８７号公報
【特許文献３】特開２００７−３３０５４３号公報
【発明の概要】
【発明が解決しようとする課題】
【０００６】
しかしながら、上記特許文献１〜３に記載されるような前開き部を備えた男性用パンツ型吸収性物品では、前開き部が外部と連通しているため、着用時の尿失禁によって、前開き部からの漏れが生じやすいという欠陥を有していた。更に、前開き部から男性器を外部に露出して排尿行為を行った後、男性器を戻す際、残尿が排出されると、残尿漏れが生じやすいという問題もあった。
【０００７】
そこで本発明の主たる課題は、前身頃の所定位置に、男性器を通す前開き部が形成された吸収性物品において、前記前開き部からの漏れを完全に防止することにある。
【課題を解決するための手段】
【０００８】
上記課題を解決するために請求項１に係る本発明として、前身頃と後身頃とが両側部で接合されて、ウエスト開口部と一対の脚周り開口部とが形成されたパンツ型吸収性物品であって、
前身頃の所定位置に、男性器を通す前開き部が形成されるとともに、前記前開き部を外面側から覆う吸収性被覆体が設けられ、前記吸収性被覆体を捲って前記前開き部から男性器を取り出し得るようにしたことを特徴とする男性用パンツ型吸収性物品が提供される。
【０００９】
上記請求項１記載の発明では、前身頃の所定位置に、男性器を通す前開き部が形成された男性用のパンツ型吸収性物品において、前記前開き部を外面側から覆う吸収性被覆体が設けられているため、着用中の尿失禁によって、前記前開き部から尿が漏れ出た場合でも、この漏れ出た尿が前開き部の外面側に配置された吸収性被覆体に吸収されるので、外部への漏れが防止できる。更に、前記吸収性被覆体を捲って前記前開き部から男性器を取り出し得るようになされているため、前開き部から男性器を外部に露出して排尿行為を行った後、男性器を戻す際、残尿による排尿があっても前記吸収性被覆体に吸収されるので、外部への漏れが防止できる。
【００１０】
請求項２に係る本発明として、前記吸収性被覆体は、肌側の透液性シートと非肌側の不透液性シートとの間に吸収部材が介在してなる請求項１記載の男性用パンツ型吸収性物品が提供される。
【００１１】
上記請求項２記載の発明では、前記吸収性被覆体が、透液性シートと不透液性シートとの間に吸収部材を介在した構造を備えている。前記吸収部材によって尿を吸収するとともに、前記不透液性シートによって吸収部材に吸収された尿が外面に滲出するのを防止している。
【００１２】
請求項３に係る本発明として、前記吸収性被覆体は、前記外装体の外面の所定位置に直接接合されている請求項１、２いずれかに記載の男性用パンツ型吸収性物品が提供される。
【００１３】
上記請求項３記載の発明では、前記吸収性被覆体を、前記外装体の外面の所定位置、すなわち前開き部を覆う位置に直接接合しているため、吸収性被覆体が前開き部を覆う位置に確実に配置され、前開き部からの漏れが確実に防止できるようになる。
【００１４】
請求項４に係る本発明として、前記吸収性被覆体は、前記前開き部より幅方向の一方側の側部領域が前記外装体の外面に接合されるとともに、少なくとも前記前開き部の上側端縁より上側の領域が前記前開き部より幅方向の他方側に延在して前記外装体の外面に接合されている請求項３記載の男性用パンツ型吸収性物品が提供される。
【００１５】
上記請求項４記載の発明は、吸収性被覆体を外装体の外面に接合する一つのパターンであり、前開き部より幅方向の一方側の側部領域を外装体の外面に接合し、少なくとも前開き部の上側端縁より上側の領域を前開き部より幅方向他方側に延在して外装体の外面に接合している。そして、これ以外の領域は外装体の外面に接合しない非接合領域としている。このため、吸収性被覆体の非接合領域の部分を捲って前開き部を露出させることにより、男性器を取り出し得るようにすることができる。
【００１６】
請求項５に係る本発明として、前記吸収性被覆体は、前記前開き部の上側端縁より上側の領域が上端縁に沿って前記外装体の外面に接合されるとともに、前記前開き部の下側端縁より下側の領域が繰り返し着脱可能な着脱可能部によって前記外装体の外面に接合されている請求項３記載の男性用パンツ型吸収性物品が提供される。
【００１７】
上記請求項５記載の発明は、吸収性被覆体を外装シートの外面に接合するパターンの変形例である。この形態例では、下端部が着脱可能部によって接合されているため、この着脱可能部を取り外して、下端部から吸収性被覆体を捲り上げて前開き部を露出させ、男性器を取り出し得るようにすることができる。このとき、吸収性被覆体を捲り上げた状態で、着脱可能部を外装シートの外面に仮止めしてもよい。
【００１８】
請求項６に係る本発明として、前記吸収性被覆体は、前記ウエスト開口部の端縁から股下に向けて延在する前記外装体に一体的に設けられた可動シートに備えられている請求項１、２いずれかに記載の男性用パンツ型吸収性物品が提供される。
【００１９】
上記請求項６記載の発明では、前記吸収性被覆体を前開き部を覆う位置に配置する変形例であり、上記形態例のように外装体の外面に直接接合するのではなく、ウエスト開口部の端縁から股下に向けて延在する前記外装体に一体的に設けられた可動シートに吸収性被覆体が備えられるようにしている。このように、前記可動シートが前身頃のウエスト開口部から股下にかけて配置されることによって、吸収性被覆体が前開き部を覆った状態が維持しやすくなり、より確実に漏れが防止できるとともに、外装体のウエスト回り及び腰回りに配置された弾性伸縮部材の収縮力によって外装体に生じたシワが目立ちにくくなり、おむつを穿いてるような外観が軽減できる。
【００２０】
請求項７に係る本発明として、前記前開き部は、幅方向のいずれか一方に偏倚した位置に、上下方向に沿って形成されている請求項１〜６いずれかに記載の男性用パンツ型吸収性物品が提供される。
【００２１】
上記請求項７記載の発明では、前記前開き部が、幅方向のいずれか一方に偏倚した位置に、上下方向に沿って形成されているため、着用中の尿失禁による前開き部からの尿漏れが生じにくくなるとともに、排尿時に男性器が取り出しやすくなる。
【００２２】
請求項８に係る本発明として、前記男性用パンツ型吸収性物品は、吸収体を含む吸収性本体と外装体とを具備し、
前記前開き部は、前記吸収体と重ならない位置に形成されている請求項１〜７いずれかに記載の男性用パンツ型吸収性物品が提供される。
【００２３】
上記請求項８記載の発明では、前記前開き部が、前記吸収体と重ならない位置に形成されているため、排尿時に男性器が取り出しやすくなる。
【００２４】
請求項９に係る本発明として、前記前開き部は、開口するスリット部によって形成されるか、破断して開口し得る易破断部によって開口可能に形成されている請求項１〜８いずれかに記載の男性用パンツ型吸収性物品が提供されている。
【００２５】
上記請求項９記載の発明では、前記前開き部として、はじめから開口するスリット部によって形成するか、排尿時の男性器を取り出す際に破断することによってはじめて開口する易破断部によって形成している。前記スリット部によって形成した場合には、はじめから開口しているため男性器が取り出しやすくなる。一方、前記易破断部によって形成した場合には、排尿前には開口していないため、前開き部からの漏れが軽減できる。
【００２６】
請求項１０に係る本発明として、前記前開き部の近傍に、前記前開き部が意図せずに口開きするのを防止する弾性伸縮部材が配設されている請求項１〜９いずれかに記載の男性用パンツ型吸収性物品が提供される。
【００２７】
上記請求項１０記載の発明では、前記口開き防止用弾性伸縮部材を配置することにより、装着時に、前記前開き部が意図せずに口開きして、前開き部からの尿漏れや男性器が露出するのを防止するため、前記前開き部の近傍に口開き防止用の弾性伸縮部材を配設している。
【発明の効果】
【００２８】
以上詳説のとおり本発明によれば、前身頃の所定位置に、男性器を通す前開き部が形成された吸収性物品において、前記前開き部からの漏れが完全に防止できるようになる。
【図面の簡単な説明】
【００２９】
【図１】本発明に係るパンツ型使い捨ておむつ１の斜視図である。
【図２】パンツ型使い捨ておむつ１の分解斜視図である。
【図３】パンツ型使い捨ておむつ１の一部破断展開図である。
【図４】図３のIV−IV線矢視図である。
【図５】図３のV−V線矢視図である。
【図６】吸収体１３の平面図である。
【図７】吸収性被覆体３１の一部破断平面図である。
【図８】変形例に係る吸収性被覆体３１の平面図である。
【図９】吸収性被覆体３１の接合形態及び使用方法を示す平面図（その１）である。
【図１０】吸収性被覆体３１の接合形態及び使用方法を示す平面図（その２）である。
【図１１】吸収性被覆体３１の接合形態及び使用方法を示す平面図（その３）である。
【図１２】第２形態例に係る吸収性被覆体３１’を示す、外装体２０の平面図である。
【図１３】図１２のXIII-XIII線矢視図である。
【図１４】上層シート２６の展開図である。
【図１５】変形例に係る上層シート２６の展開図である。
【図１６】他の形態例に係るパンツ型使い捨ておむつ１Ａの斜視図である。
【図１７】パンツ型使い捨ておむつ１Ａの展開図である。
【発明を実施するための形態】
【００３０】
〔使い捨ておむつ１の基本構造の一例〕
以下、本発明の実施の形態について図面を参照しながら詳述する。本書において、「長手方向」とは使い捨ておむつ１の前側と後側を結ぶ方向を意味し、「幅方向」とは長手方向と直交する方向（使い捨ておむつ１の展開時の左右方向）を意味する。
【００３１】
図１〜図５に示されるように、本使い捨ておむつ１（以下、単におむつともいう。）は、不織布などからなる透液性トップシート１１と、ポリエチレン等からなる防水シート１２との間に、綿状パルプなどの吸収体１３を介在させるとともに、肌面側の両側部にそれぞれおむつ長手方向に沿って肌側に起立する左右一対の立体ギャザーＢＳ、ＢＳが形成された吸収性本体１０と、この吸収性本体１０の外面側（非肌側）に一体的に設けられ、おむつのバックシートを構成する外装体２０とを含み、製品状態で、長手方向中央部を幅方向に延びる中心線ＣＬ（おむつ１を長手方向に二分する中心線）で折り畳み、前記外装体２０の前身頃と後身頃とが両側部において接合されることによりウエスト開口部ＷＯ及び左右一対のレッグ開口部ＬＯ、ＬＯが形成された構造のパンツ型のおむつである。
【００３２】
以下、更に各構成部材について具体的に詳述する。
【００３３】
（吸収性本体１０）
先ず最初に、前記吸収性本体１０の構造の一例について図２〜図５に基づいて説明すると、
前記吸収性本体１０は、不織布などからなる透液性トップシート１１と、ポリエチレン等からなる防水シート１２との間に、綿状パルプなどの吸収体１３を介在させた構造とされ、体液を吸収保持するものである。
【００３４】
前記吸収体１３は、たとえばパルプ中に高吸水性樹脂を混入したもの、或いはパルプ中に化学繊維を混入させるとともに、高吸水性樹脂を混入したものが使用される。前記吸収体１３は、形状保持と透液性トップシート１１を透過した体液の拡散性向上のためにクレープ紙や不織布などからなる被包シート１４によって囲繞されるのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体１３として、嵩を小さくできるエアレイド吸収体や、２層の不織布層間に高吸水性樹脂を配置してなるポリマーシートを用いてもよい。
【００３５】
また、前記吸収体１３には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３６】
前記吸収体１３は、図示例では脚周りに対応する長手方向中間部の両側に切欠き部１３ａが形成されることにより、平面形状を略砂時計形状として成形されたものが使用され、その幅寸法は股間部への当たりによって着用者にゴワ付き感を与えない寸法幅となっている。
【００３７】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。
【００３８】
前記吸収体１３を覆う被包シート１４を設ける場合には、結果的に透液性トップシート１１と吸収体１３との間に被包シート１４が介在することになる。前記被包シート１４がクレープ紙からなる場合には、吸収性に優れる前記被包シート１４によって尿を速やかに拡散させるとともに、これら尿の逆戻りを防止するようになる。
【００３９】
前記吸収体１３及び被包シート１４のいずれか一方又は両方は、白色以外の色、好ましくは黒色や灰色など、比較的暗い、明度が小さな色を有しているのが好ましい。本発明は男性用の吸収性物品に関するものなので、比較的暗い色を用いることにより男性用として落ち着いた印象を与えるとともに、暗い色の服を着用したときに目立ちにくくなり、かつ排尿の跡も目立ちにくくなる。着色方法は特に限定されず、適宜の染色方法、或いは着色原料を用いることができる。また、吸収体１３及び被包シート１４のいずれか一方又は両方に活性炭を含有することにより、着色を施してもよい。これにより、活性炭による消臭効果も付加できるようになる。
【００４０】
前記吸収体１３の表面側（肌当接面側）を覆う透液性トップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート１１に多数の透孔を形成した場合には、尿などが速やかに吸収されるようになり、ドライタッチ性に優れたものとなる。前記透液性トップシート１１は、吸収体１３の側縁部を巻き込んで吸収体１３の裏面側まで延在させるのが好ましい。
【００４１】
前記吸収体１３の裏面側（非肌当接面側）を覆う防水シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００４２】
前記吸収性本体１０の肌面側の両側部にそれぞれ、おむつ長手方向に沿って肌側に起立する左右一対の立体ギャザーＢＳ、ＢＳが形成されている。前記立体ギャザーＢＳを形成するギャザー不織布１５は、図４及び図５に示されるように、折返しによって二重シートとした不織布が用いられ、前記透液性トップシート１１によって巻き込まれた吸収体１３の側縁部をさらにその上側から巻き込んで吸収体１３の裏面側まで延在して接着されるのが好ましい。より具体的には、前記ギャザー不織布１５は、おむつの長手方向中間部では、図４に示されるように、立体ギャザーＢＳ形成部分を残し、幅方向中間部から吸収体１３の裏面側に亘る範囲がホットメルト接着剤等によって接着され、また長手方向前後端部では、図５に示されるように、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００４３】
前記二重シート不織布によって形成されたギャザー不織布１５の内部には、起立先端側部分におむつ長手方向に沿って１本又は複数本の、図示例ではギャザー起立方向に間隔をあけて複数本の糸状弾性伸縮部材１６、１６…が配設されている。前記糸状弾性伸縮部材１６、１６…は、製品状態において図４に示されるように、弾性伸縮力によりギャザー不織布１５を肌側に起立させて立体ギャザーＢＳを形成するためのものである。
【００４４】
前記防水シート１２は、両側部が前記二重シート状のギャザー不織布１５の内部まで進入し、図４に示されるように、立体ギャザーＢＳの下側（起立基端側）において防漏壁を構成するように配置するのが好ましい。前記防水シート１２は、立体ギャザーＢＳの肌当たりを良くするため、ギャザー不織布１５の折返し端側に若干の幅で二重シート状のギャザー不織布１５、１５のみからなる部分を残して、立体ギャザーＢＳの先端付近まで延在するのが好ましい。かかる防水シート１２としては、尿の色が透き通らないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００４５】
前記糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは３１０〜９４０dtex、テンションは自然長を１００％としたときの伸長率が２５０〜２９０％（２．５倍〜２．９倍）として配設するのがよい。なお、糸状弾性伸縮部材に代えて、ある程度の幅を有するテープ状弾性伸縮部材を用いるようにしてもよい。
【００４６】
前述のギャザー不織布１５を構成する素材繊維も前記透液性トップシート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法により得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００４７】
（外装体２０）
次に、前記外装体２０の構造の一例について図２〜図５に基づいて詳述すると、
前記外装体２０は、上層シート２６及び下層シート２７からなる２層構造の不織布シートとされ、前記上層シート２６と下層シート２７との間に、幅方向に沿うとともに、長手方向に間隔を空けて各種弾性部材が配設されることにより、幅方向への伸縮性が付与されている。平面形状は、中間両側部に夫々レッグ開口部ＬＯを形成するための凹状の脚回りカットライン２９により、全体として擬似砂時計形状を成している。
【００４８】
本発明に係る外装体２０においては、前記弾性部材として、図３に示される展開形状において、前記ウエスト開口部回り２３に配置されたウエスト部弾性部材２４，２４…と、前身頃及び後身頃に、上下方向に間隔をおいて水平方向に沿って配置された複数の腰回り弾性部材群２５，２５…とを備えるものである。なお、前記脚回りカットライン２９に沿って実質的に連続する、所謂脚回り弾性部材を設けてもよい。
【００４９】
前記ウエスト部弾性部材２４，２４…は、前身頃と後身頃とが接合された脇部接合縁２１、２２の範囲の内、ウエスト開口部ＷＯの端縁近傍に上下方向に間隔をおいて配設された複数条の糸ゴム状弾性部材であり、身体のウエスト部回りを締め付けるように伸縮力を与えることによりおむつを身体に装着するためのものである。このウエスト部弾性部材２４は、図示例では糸ゴムを用いたが、例えばテープ状の伸縮部材を用いてもよい。
【００５０】
前記腰回り弾性部材群２５，２５…は、脇部接合縁２１、２２の内、概ね上部から下部までの範囲に亘り、上下方向に間隔をおいて水平方向に沿って配設された糸ゴム状の弾性部材であり、前身頃及び後身頃の腰回り部分に夫々水平方向の伸縮力を与え、おむつを身体に密着させるためのものである。なお、前記ウエスト部弾性部材２４、２４…と腰回り弾性部材群２５、２５…との境界は必ずしも明確でなくてよい。例えば、前身頃及び後身頃に上下方向に間隔をおいて水平方向に配置された弾性部材の内、数は特定できなくても、上部側の何本かがウエスト部弾性部材として機能し、残りの弾性部材が腰回り弾性部材として機能していればよい。
【００５１】
〔前開き部３０〕
本使い捨ておむつ１は、図１に示されるように、前身頃の所定位置に、男性器を通す前開き部３０が形成された男性用のおむつである。前記前開き部３０は、前身頃の所定位置において、おむつ１の内側と外側とを貫通する開口部又は貫通可能に形成された開口可能部であり、前身頃においてウエスト開口部ＷＯと股下部との間に上下方向に延びるスリットなどの開口部又はミシン目などの開口可能部によって形成されている。
【００５２】
前記前開き部３０は、排尿時に男性器、特に陰茎を取り出しやすい位置に形成されている。前記前開き部３０は、吸収体１３と重なる幅方向中央部に形成してもよいが、吸収体１３自体にスリットを設けると、その部分において吸収体１３が不連続的となり、体液の拡散が抑制され、吸収性能が低下するおそれがある。また、吸収体１３にスリットを設けずに吸収体１３が重なる部分の外装体２０に前開き部を形成し、吸収体１３を捲り上げて外装体２０の前開き部３０から男性器を取り出す構造もとり得るが、この方法では男性器が取り出しにくいという欠点がある。したがって、本おむつ１では、前記前開き部３０は、排尿部となる吸収体１３の幅方向中央部に形成するのは好ましくなく、排尿部となる吸収体１３の幅方向中央部より外側位置であって、幅方向のいずれか一方に偏倚した位置に形成するのが好ましく、前記吸収体１３と重ならない吸収体１３より幅方向外側に形成するのがより好ましい。ただし、後段で詳述するように、体液が直接排出される幅方向中央部でなければ、吸収体１３に開口部を設け、この開口部内に前開き部３０を形成するようにしてもよい（図６(B)参照）。
【００５３】
前記前開き部３０は、図４に示されるように、外装体２０を構成する上層シート２６及び下層シート２７並びに吸収体１３を除く吸収性本体１０を構成する各部材を一体的に貫通するように形成されている。また、本例のように、吸収性本体１０の両側部に立体ギャザーＢＳ、ＢＳが設けられるおむつ１においては、立体ギャザーＢＳの外側に前開き部３０を形成すると、陰茎を取り出す際に、起立上端部が肌面に接触した立体ギャザーＢＳを跨いで陰茎を外側に移動させる必要があり、取り出しに手間がかかるため、図３及び図４に示されるように、立体ギャザーＢＳの起立基端と吸収体１３の側縁との間の隙間部分に前開き部３０を形成するのが望ましい。具体的には、前記吸収性本体１０のうち、透液性トップシート１１、ギャザー不織布１５及び防水シート１２の積層部分にスリットが設けられるとともに、前記外装体２０の上層シート２６及び下層シート２７にスリットが設けられることにより、表裏を貫通する前開き部３０が形成されている。前記吸収性本体１０に形成されたスリットと外装体２０に形成されたスリットとは、外装体２０に吸収性本体１０を積層した状態でほぼ一致する位置に重なり合い、これらのスリットによっておむつ１の内側と外側とを貫通する前開き部３０が形成されるようになっている。
【００５４】
前記前開き部３０を形成するには、各シートの原反に予めスリットを設けておき、位置合わせをしながら組み立ててもよいが、シート同士の位置合わせが難しくなるので、吸収性本体１０及び外装体２０をそれぞれ組み立てた状態で、吸収性本体１０及び外装体２０の所定位置にそれぞれ、ロールカッター等で前開き部３０を形成した後、吸収性本体１０の前開き部３０と外装体２０の前開き部３０とが重なり合うように、これら吸収性本体１０及び外装体２０を積層するのが好ましい。また、吸収性本体１０と外装体２０とを積層した状態で、ロールカッター等でこれらを一体的に貫通する前開き部３０を形成してもよい。
【００５５】
前記前開き部３０は、全体を連続して切開したスリットによって形成してもよいし、使用時に破断して開口し得るようにした易破断部によって形成してもよい。前記易破断部としては、前開き部３０が延びる方向に沿って破断部と非破断部とを交互に複数配置したミシン目とするのが好ましい。前記易破断部は、前開き部３０に介在する全てのシート部材に形成してもよいし、一部のシート部材のみに形成し、他のシート部材にはスリットを形成するようにしてもよい。前記易破断部を一部のシート部材のみに形成する場合の易破断部を形成するシート部材としては、最外面の外装体２０のみとしてもよいし、最外面の外装体２０及び最内面の透液性トップシート１１のみとしてもよい。
【００５６】
図３及び図７に示されるように、前記前開き部３０の長さＬ０は、男性器を取り出しやすくする観点から、６０〜１５０ｍｍ、好ましくは６０〜１００ｍｍとするのがよい。前記長さＬ０が６０ｍｍ未満では、男性器を取り出しにくく、１５０ｍｍを超えると前開き部３０が不用意に開口して、意図せずに陰茎が露出したり、前開き部３０からの尿漏れが生じやすくなる。
【００５７】
前記外装体２０に対する前開き部３０の位置としては、図３に示されるように、前側端縁から前開き部３０の下側端縁までの長さをａ、前側端縁から前記中心線ＣＬまでの長さをｂとすると、Ｌ０＜ａ＜ｂとするのが好ましい。
【００５８】
図３及び図４に示されるように、前記前開き部３０の近傍には、前記前開き部３０が意図せずに口開きするのを防止する口開き防止用弾性伸縮部材３２を配設するのが好ましい。前記口開き防止用弾性伸縮部材３２は、吸収性本体１０と外装体２０との間において、前開き部３０の両側にそれぞれ前開き部３０が延びる方向に沿って伸張状態で、両端又は長手方向に適宜の間隔で接着剤によって接合されている。前記口開き防止用弾性伸縮部材３２の収縮力により、前開き部３０の両側のシート部材が互いに離隔する方向に移動するのが抑えられ、前開き部３０が意図せずに口開きするのが防止できる。
【００５９】
前記前開き部３０を配置しやすくするため、吸収体１３の平面形状を前開き部３０に合わせて特殊な形状としてもよい。例えば、前述のように、脚周りに対応する長手方向中間部のみに形成された切欠き部１３ａ（図３）を、図６(A)に示されるように、長手方向中間部から前端に亘る範囲に形成することができる。つまり、脚周りに対応する長手方向中間部より前側では、吸収体１３が相対的に幅狭に形成され、その後側では相対的に幅広に形成されている。これによって、装着時に脚周りにフィットしやすくなるとともに、前開き部３０が形成しやすくなる。
【００６０】
また、図６(B)に示されるように、吸収体１３の幅方向の一方側に開口部１３ｂを形成し、この開口部１３ｂ内に前開き部３０を形成することができる。この形態例では、前開き部３０を囲うように吸収体１３が配置されるため、前開き部３０の周囲においても吸収量を確保することができ、吸収性能が向上する。なお、前記開口部１３ｂに代えて、吸収体１３の側縁から切り欠いた切欠き部としてもよい。
【００６１】
更に、図６(C)に示されるように、前開き部３０が形成された一方側の側部のみに、前開き部３０より前側を切り欠いた切欠き部１３ｃを形成してもよい。このように前開き部３０が形成された一方側の側部のみに切欠き部１３ｃを形成することにより、図６(A)の形態より前側領域の吸収量を確保できるようになる。
【００６２】
なお、前記吸収体１３は、前記切欠き部１３ａや開口部１３ｂなどを形成せずに、図６(D)に示されるように、側縁が直線からなる長方形の平面形状からなるものを用いてもよい。
【００６３】
〔吸収性被覆体３１〕
前記前開き部３０の外面側は、体液を素早く吸収する機能を有する吸収性被覆体３１によって覆われている。おむつ１を装着した通常の状態では、図１に示されるように、前開き部３０の全部が前記吸収性被覆体３１によって覆われており、おむつの外部から前開き部３０が視認できないようになっている。
【００６４】
一方、排尿時には、前記吸収性被覆体３１を捲って前開き部３０から男性器を取り出すことができるようになっている。このように、排尿時以外は常時、前開き部３０の外面側が前記吸収性被覆体３１によって覆われているため、着用中の尿失禁によって、前開き部３０から尿が漏れ出た場合でも、この漏れ出た尿が前開き部３０を覆う吸収性被覆体３１に吸収されるので、外部に漏れるのが防止できる。更に、吸収性被覆体３１を捲って前開き部３０から男性器を取り出し得るようにしているため、前開き部３０から男性器を外部に露出して排尿行為を行った後、男性器を戻す際、残尿による排尿があった場合でも、この排尿を吸収性被覆体３１が受け止めて、この吸収性被覆体３１に素早く吸収されるので、外部に漏れるのが防止できる。
【００６５】
前記吸収性被覆体３１は、図７に示されるように、肌側（外装体２０の下層シート２７対向面側）の透液性シート４３と、非肌側（外面側）の不透液性シート４４との間に、吸収部材４５が介在してなる積層シート部材である。前記透液性シート４３としては、前記吸収性本体１０の透液性トップシート１１と同様に、有孔または無孔の不織布や多孔性プラスチックシートなどが好適に用いられる。前記不透液性シート４４としては、前記吸収性本体１０の防水シート１２と同様に、ポリエチレンまたはポリプロピレンなどの不透液性プラスチックシートが好適に用いられる。また、前記吸収部材４５としては、複数のクレープ紙を積層した積層クレープ紙、パルプを主体としたエアレイドパルプ不織布や積繊パルプなどを用いることができる。前記吸収性被覆体３１は、前記透液性シート４３、吸収部材４５及び不透液性シート４４を積層した状態で、吸収部材４５の外縁より外側に延在させた透液性シート４３及び不透液性シート４４の外縁部を、ホットメルト接着剤などによる接着やヒートシールなどによって接合した構造を有している。
【００６６】
前記吸収性被覆体３１は、前記前開き部３０より長手方向及び幅方向に大きな寸法で形成され、前開き部３０を覆った状態では、おむつ外面側からの外観視で前開き部３０が視認できないようになっている。図３及び図７に示されるように、前記吸収性被覆体３１の長手方向の寸法Ｌ１は、前記前開き部３０の長さＬ０より長く、１２０〜２１０ｍｍとするのが好ましい。この長手寸法Ｌ１は、前記前開き部３０の長さＬ０より、１０〜１００ｍｍ、好ましくは３０〜７０ｍｍ程度長くするのがよい。一方、吸収性被覆体３１の幅寸法は、６０〜１００ｍｍとするのが好ましい。
【００６７】
前記吸収性被覆体３１の平面形状は、前記前開き部３０を覆う形状であれば任意であり、図７に示されるように、上下方向に長い長方形でもよいし、正方形や多角形、楕円形、長円形などでもよい。また、図８に示されるように、前開き部３０の下側にいくに従って、幅寸法が大きくなる略台形状に形成することもできる。このような台形状に形成することにより、吸収部材４５に吸収された尿が下側に拡散するに従って拡散面積が大きくなるのに対応して、吸収部材４５の吸収面積が大きくなるため、吸収部材４５からの漏れが防止できるとともに、男性器を取り出す際に吸収性被覆体３１を捲りやすく、且つおむつ１の前身頃の形状に沿って変形しやすくなるため前開き部３０をより確実に覆うことができるようになる。
【００６８】
前記吸収性被覆体３１は、前記外装体２０の外面の所定位置に直接接合されている。すなわち、前記吸収性被覆体３１は、前記外装体２０とは別体で形成され、前記前開き部３０を覆う外装体２０の外面（下層シート２７の非肌側面）に、これら外装体２０の下層シート２７と吸収性被覆体３１の透液性シート４３との間に所定のパターンで塗布された接着剤層によって接合されている。
【００６９】
前記吸収性被覆体３１を外装体２０の外面に接合するパターンについて説明する。第１のパターンとしては、図９に示されるように、前開き部３０より幅方向の一方側（おむつ１の幅方向中央側）の側部領域が固着部４６によって外装体２０の外面に接合され、前開き部３０の近傍及びその幅方向の他方側（おむつ１の幅方向外側）が接合されない非固着部となっている。排尿時に前開き部３０から男性器を取り出すには、同図９(B)に示されるように、非固着部である幅方向外側の側縁の中央部に指を引っ掛けて幅方向中央側に引っ張ることにより、吸収性被覆体３１が簡単に捲れ、前開き部３０が露出するようになる。特に、第１のパターンでは、前記固着部４６は、前開き部３０の上下端より上方側及び下方側に延在する部分において、前開き部３０より幅方向の他方側（おむつ１の幅方向外側）に延出する延出部４６ａ、４６ａを有している。前記延出部４６ａを設けることにより、通常時において前開き部３０が吸収性被覆体３１によって覆われた状態が保持されやすいとともに、排尿後に男性器を戻して吸収性被覆体３１から手を離した後、再び前開き部３０が吸収性被覆体３１によって覆われやすくなる。
【００７０】
また、吸収性被覆体３１を接合する第２のパターンとしては、図１０に示されるように、上記第１のパターンと同様に、前開き部３０より幅方向の一方側（おむつ１の幅方向中央側）が固着部４６によって外装体２０の外面に接合され、前開き部３０の近傍及びその幅方向の他方側（おむつ１の幅方向外側）が接合されない非固着部となっている。特に、第２のパターンでは、前開き部３０が吸収性被覆体３１の幅方向中央部を長手方向に延びる長手方向中心線より幅方向の他方側（おむつ１の幅方向外側）に偏倚した位置に配置されるとともに、前記固着部４６の前開き部３０に隣接する側縁４６ｂが、上端部において吸収性被覆体３１の長手方向中心線より幅方向の他方側に位置し、下端部において前記長手方向中心線より幅方向の一方側に位置する傾斜線で形成されている。前記固着部４６の側縁４６ｂは、上端部が前開き部３０より幅方向の他方側（おむつ１の幅方向外側）に延在するように形成されている。これにより、図１０(B)に示されるように、吸収性被覆体３１を捲る際、非固着部部分の側縁の下端部を手で摘まんで斜め上方に捲り上げることにより、前開き部３０が露出するようになる。固着部４６の側縁４６ｂの上端部が吸収性被覆体３１の長手方向中心線より幅方向外側に延在し、前開き部３０の上部まで延在しているため、吸収性被覆体３１を捲らない通常状態において、吸収性被覆体３１が前開き部３０を覆った状態が保持しやすくなり、排尿後に男性器を戻した後、吸収性被覆体３１が前開き部３０を覆った状態に戻りやすくなる。
【００７１】
前記吸収性被覆体３１を接合する第３のパターンとしては、図１１に示されるように、吸収性被覆体３１は、前開き部３０の上側端縁より上側の領域が上端縁に沿って配置された固着部４６によって外装体２０の外面に剥離不能に接合されるとともに、前開き部３０の下側端縁より下側の領域が繰り返し着脱可能な着脱可能部４７によって外装体２０の外面に接合されている。このように、上端部のみが固着部４６によって接合してあるため、下端部の着脱可能部４７を外せば、前記固着部４６を基端として吸収性被覆体３１を自由に動かせることができるようになる。したがって、通常状態では、図１１(A)に示されるように、着脱可能部４７を前開き部３０の下端より下側位置の外装体２０に接合することにより、前開き部３０が吸収性被覆体３１によって覆われた状態にしておき、排尿時に、図１１(B)に示されるように、前記着脱可能部４７を取り外して、吸収性被覆体３１によって前開き部３０が覆われない位置、図示例では前開き部３０の上端より上側位置の外装体２０に着脱可能部４７を仮止めし、前開き部３０を露出した状態とすることにより、前開き部３０から男性器を取り出すことができるようになる。このため、通常状態では、前開き部３０が吸収性被覆体３１によって覆われた状態が保持されやすく、排尿時には、吸収性被覆体３１が邪魔にならずに男性器を取り出しやすくなる。前記着脱可能部４７としては、再接着可能なテープ状のものであれば公知のものを広く採用でき、例えば、表面にフック状突起の雄材を多数有する機械接合式のメカニカルファスナーや、表面に粘着剤層が設けられた粘着式のファスナーを用いることができる。
【００７２】
次に、第２形態例に係る吸収性被覆体３１’について説明する。第２形態例に係る吸収性被覆体３１’は、図１２〜図１４に示されるように、ウエスト開口部ＷＯの端縁から股下に向けて延在する前記外装体２０に一体的に設けられた可動シート３３に備えられるようになっている。前記可動シート３３は、図１２及び図１３に示されるように、外装体２０を構成する上層シート２６の前身頃のウエスト開口部ＷＯ側の端縁から延在するシート部分を、下層シート２７の前身頃のウエスト開口部ＷＯ側の端縁を巻き込むようにして折り返し、下層シート２７の外面側に配置したシート部分によって形成されている。この可動シート３３がウエスト開口部ＷＯの端縁で下層シート２７の外面側に折り返された状態で、前記可動シート３３の内面（下層シート２７の対向面）の所定位置に、少なくとも前記吸収部材４５及び透液性シート４３が積層されることにより、吸収性被覆体３１’を構成している。
【００７３】
前記可動シート３３は、液透過性シートでもよいし、液不透過性シートでもよい。液透過性シートを用いた場合は、吸収部材４５に吸収された体液の滲出を防止するため、吸収部材４５と可動シート３３との間に前記不透液性シート４４を介在するのが好ましい。前記可動シート３３が液不透過性シートからなる場合、前記吸収部材４５及び透液性シート４３が積層された部分の可動シート３３は、吸収性被覆体３１’の一部を構成する。前記可動シート３３が液透過性シートからなる場合、この可動シート３３に積層された前記不透液性シート４４、吸収部材４５及び透液性シート４３が吸収性被覆体３１’を構成し、可動シート３３は除かれる。
【００７４】
前記可動シート３３は、前記吸収性被覆体３１’を完全に覆う大きさで形成されている。具体的には、上層シート２６の前身頃の上端縁のほぼ全幅から股下部に向けて両側縁の離隔距離が徐々に小さくなる形状で形成されている。このとき、可動シート３３の両側縁は、図１２に示される外装体２０の展開状態で、外装体２０の中間両側部にそれぞれ設けられた凹状曲線からなる脚回りカットライン２９に接する直線によって形成するのが好ましい。
【００７５】
前記可動シート３３の先端は、おむつ股下の折り畳み中心線ＣＬ又はその近傍まで延び、前身頃のほぼ全域を覆っている。このように、前身頃の外面が可動シート３３によって覆われるため、各種弾性伸縮部材２４…、２５…による外装体２０のシワが目立ちにくくなり、おむつというより布様の普通の下着のような外観を呈するため、おむつを装着しているという恥ずかしさが軽減できる。
【００７６】
前記可動シート３３は、図１４に示されるように、ウエスト開口部ＷＯの端縁に沿って配置された第１固着部３４と、股下側の端縁に沿って配置された第２固着部３５と、前記前開き部３０が形成された側と幅方向の反対側に配置された第３固着部３６とによって前身頃側の外面（下層シート２７の非肌側面）に接合するのが好ましい。また、図示例では、吸収性被覆体３１’と前記第１固着部３４との間の可動シート３３部分を下層シート２７に接合する第４固着部３７が設けられている。すなわち、前記吸収性被覆体３１’及びその近傍の可動シート３３部分は、下層シート２７に接合されていない。これらの固着部３４〜３７で可動シート３３を下層シート２７に固定することにより、吸収性被覆体３１’が前開き部３０を外面側から覆った状態に保持しやすくなるとともに、排尿時に前開き部３０から男性器を取り出す際、吸収性被覆体３１’を捲りやすく、且つ排尿後、男性器を戻した後も、前開き部３０が吸収性被覆体３１’によって覆われた状態に戻りやすくなる。なお、前記固着部３４〜３７は、図示例ではわかりやすいように離隔して配置しているが、これらの固着部３４〜３７の境界は必ずしも明確である必要はなく、連続する１つの領域で構成してもよい。前記固着部３４〜３７は、ホットメルトなどの接着剤層によって構成されている。
【００７７】
前記可動シート３３を前身頃の外面に接合する形態の変形例として、前記固着部３４〜３７によって固定する構成に代えて、図１５に示されるように、ウエスト開口部ＷＯの端縁に沿って配置された固着部３８によって前身頃の外面（下層シート２７の非肌側面）に接合されるとともに、股下側の端縁に沿って配置された繰り返し着脱可能な着脱可能部３９によって股下の外面（下層シート２７の非肌側面）に接合されるようにすることができる。このように、ウエスト開口部ＷＯの端縁に沿って配置された固着部３８でのみ、下層シート２７の非肌側面に固着してあるため、着脱可能部３９を外せば、吸収性被覆体３１’を含む可動シート３３が前記固着部３８を基端として自由に動かせるようになる。これによって、通常状態では、前記着脱可能部３９を股下部に接合して吸収性被覆体３１’によって前開き部３０が覆われた状態にしておき、排尿時に、前開き部３０から男性器を取り出す際、前記着脱可能部３９を取り外して、吸収性被覆体３１’によって前開き部３０が覆われない位置に着脱可能部３９を仮止めし、前開き部３０を露出した状態で、前開き部３０から男性器を取り出すことができるようになる。このため、通常状態では、前開き部３０が吸収性被覆体３１’によって覆われた状態が保持されやすく、排尿時には、吸収性被覆体３１’が邪魔にならずに男性器を取り出しやすくなる。
【００７８】
前記着脱可能部３９としては、再接着可能なテープ状のものであれば公知のものを広く採用でき、例えば、表面にフック状突起の雄材を多数有する機械接合式のメカニカルファスナーや、表面に粘着剤層が設けられた粘着式のファスナーを用いることができる。
【００７９】
前記可動シート３３は、図１３及び図１４に示される例では、上層シート２６から延在するシート部分によって構成されているが、前記上層シート２６とは別体のシートを、下層シート２７の外面に接合するようにしてもよい。
【００８０】
〔他の形態例〕
上記形態例では、使い捨ておむつ１に吸収性本体１０が備えられていたが、図１６及び図１７に示されるように、吸収性本体１０が備えられない使い捨ておむつ１Ａとしてもよい。すなわち、本形態例に係る使い捨ておむつ１Ａは、外装体２０の外面側に吸収性被覆体３１が設けられた構造を成している。このように、吸収性本体が備えられないため、股間部の厚みが薄くなり、使い捨て下着として使用することができる。この場合、前開き部３０は、外装体２０のみに形成され、この前開き部３０の外面側が吸収性被覆体３１によって覆われている。本形態例においても、上記形態例と同様に、前開き部３０からの男性器の露出防止及び漏れ防止のため、前開き部３０は、幅方向のいずれか一方に偏倚した位置に形成するのが好ましい。
【符号の説明】
【００８１】
１…男性用パンツ型使い捨ておむつ（おむつ）、１０…吸収性本体、１１…透液性トップシート、１２…防水シート、１３…吸収体、１４…被包シート、１５…ギャザー不織布、１６…糸状弾性伸縮部材、２０…外装体、２１・２２…脇部接合縁、２３…ウエスト開口部回り、２４…ウエスト部弾性部材、２５…腰回り弾性部材群、２６…上層シート、２７…下層シート、２９…脚回りカットライン、３０…前開き部、３１・３１’…吸収性被覆体、３２…口開き防止用弾性伸縮部材、３３…可動シート、３４〜３７・３８…固着部、３９…着脱可能部、４３…透液性シート、４４…不透液性シート、４５…吸収部材、４６…固着部、４７…着脱可能部
【図１】
2020092735.tif 000003
【図２】
2020092735.tif 000004
【図３】
2020092735.tif 000005
【図４】
2020092735.tif 000006
【図５】
2020092735.tif 000007
【図６】
2020092735.tif 000008
【図７】
2020092735.tif 000009
【図８】
2020092735.tif 000010
【図９】
2020092735.tif 000011
【図１０】
2020092735.tif 000012
【図１１】
2020092735.tif 000013
【図１２】
2020092735.tif 000014
【図１３】
2020092735.tif 000015
【図１４】
2020092735.tif 000016
【図１５】
2020092735.tif 000017
【図１６】
2020092735.tif 000018
【図１７】
2020092735.tif 000019